Podtech/llm-jp-corpus-v4-ja_patent huggingface dataset:
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
微生物バイオフィルムを阻害する組成物であって、（ａ）カチオン性ペプチドおよび（ｂ）第四級アンモニウム化合物、銀含有粒子、または５−フルオロウラシル、あるいは（ａ）メタ過ヨウ素酸塩および（ｂ）銀含有粒子、５−フルオロウラシル、クロルヘキシジン、またはトリクロサンを含む組成物。
【請求項２】
カチオン性ペプチドが、オミガナン、プロタミン、セクロピンＡ、またはそれらの組合せである、請求項１に記載の組成物。
【請求項３】
カチオン性ペプチドが硫酸プロタミンである、請求項２に記載の組成物。
【請求項４】
第四級アンモニウムが、塩化ベンザルコニウム、臭化ベンザルコニウム、サッカリン酸ベンザルコニウム、塩化セタルコニウム、臭化セタルコニウム、水素化塩化タローアルコニウム（ｔａｌｌｏｗａｌｋｏｎｉｕｍ  ｃｈｌｏｒｉｄｅ）、塩化タローアルコニウム（ｔａｌｌｏｗａｌｋｏｎｉｕｍ  ｃｈｌｏｒｉｄｅ）、サッカリン酸ジデシルジメチルアンモニウム、サッカリン酸ヘキサデシルピリジニウム、アセスルファミン酸ベンザルコニウム、アセスルファミン酸ジデシルジメチルアンモニウム、アセスルファミン酸ヘキサデシルピリジニウム、アセスルファミン酸３−ヒドロキシ−１−オクチルオキシメチルピリジニウム、サッカリン酸３−ヒドロキシ−１−オクチルオキシメチルピリジニウム、塩化セチルピリジニウム、またはそれらの組合せである、請求項１に記載の組成物。
【請求項５】
第四級アンモニウム化合物が塩化ベンザルコニウムである、請求項１に記載の組成物。
【請求項６】
銀粒子が、銀ナノ粒子またはスルファジアジン銀である、請求項１に記載の組成物。
【請求項７】
メタ過ヨウ素酸塩が、メタ過ヨウ素酸ナトリウムまたはメタ過ヨウ素酸カリウムである、請求項１に記載の組成物。
【請求項８】
（ａ）硫酸プロタミンおよび（ｂ）塩化ベンザルコニウムを含む請求項１に記載の組成物。
【請求項９】
（ａ）メタ過ヨウ素酸塩および（ｂ）５−フルオロウラシルを含む請求項１に記載の組成物。
【請求項１０】
（ａ）メタ過ヨウ素酸塩および（ｂ）クロルヘキシジンを含む請求項１に記載の組成物。
【請求項１１】
（ａ）硫酸プロタミンおよび（ｂ）銀含有粒子を含む請求項１に記載の組成物。
【請求項１２】
メタ過ヨウ素酸塩がメタ過ヨウ素酸ナトリウムである、請求項１に記載の組成物。
【請求項１３】
硫酸プロタミンが、約１００μｇ／ｍｌ〜約１０００μｇ／ｍｌの硫酸プロタミンからなる、請求項３に記載の組成物。
【請求項１４】
塩化ベンザルコニウムが、約２０μｇ／ｍｌ〜約２００μｇ／ｍｌの塩化ベンザルコニウムからなる、請求項５に記載の組成物。
【請求項１５】
銀粒子が、約１μｇ／ｍｌ〜約１０００μｇ／ｍｌの銀粒子からなる、請求項６に記載の組成物。
【請求項１６】
メタ過ヨウ素酸ナトリウムの濃度が、約２０μｇ／ｍｌ〜約２０００μｇ／ｍｌのメタ過ヨウ素酸ナトリウムを含む、請求項１２に記載の組成物。
【請求項１７】
５−フルオロウラシルの濃度が、約５０μｇ／ｍｌ〜約５０００μｇ／ｍｌの５−フルオロウラシルを含む、請求項１に記載の組成物。
【請求項１８】
クロルヘキシジン塩基または塩が、約１μｇ／ｍｌ〜約１００μｇ／ｍｌのクロルヘキシジンを含む、請求項１に記載の組成物。
【請求項１９】
微生物バイオフィルムを低減、阻害、または防止する方法であって、請求項１に記載の組成物と消毒剤との組合せを表面と接触させることによって、前記表面を消毒、清浄、またはすすぐことを含む方法。
【請求項２０】
歯ブラシ；デンタルフロス；義歯、マウスガード；乳製品用ライン；乳製品用ラインのフィルター；水ライン；食品および飲料製造で使用されるライン；一般家庭用消毒剤；洗濯洗剤；清浄用必需品；リーチング工程または採鉱に関与する設備；創傷ケア；真空系統；ＨＶＡＣ系統；真空掃除機用袋；塗料カバーリング；壁カバーリング；窓枠；ドア；ドアフレーム；冷却塔；加湿器；真空掃除機；フィルター；玩具；化粧品容器；プラスチックビン；水差し；蛇口および水吐出し口；洗濯機；皿洗い機；動物用水飲み皿；浴室用タイル；浴室用備品；シンク；シャワー；シャワーヘッド；便器；便器の蓋；便座；シーラント；グラウト；タオル；Ｔｕｐｐｅｒｗａｒｅ（登録商標）；皿；カップ；台所用品；ボウル；食品貯蔵容器；飲料貯蔵容器；まな板；皿乾燥用トレー；ごみ袋；浴槽；渦流浴槽；ジャクージ浴槽；シンク；シャワー；養魚池；スイミングプール；スイミングプールのライナー；スイミングプールのスキマー；池のライナー；小鳥用水盤；園芸用ホース；散水ライン；プランター；および温水浴槽に組み込まれている、請求項１に記載の組成物。
【請求項２１】
創傷の消毒方法であって、請求項１に記載の組成物を創傷に投与することを含む方法。
【請求項２２】
消毒対象の物体に噴霧、浸漬、上塗り、またはコーティングする方法であって、前記物体と請求項１に記載の組成物を接触させることを含む方法。
【請求項２３】
義歯；マウスガード；乳製品用ライン；水用ライン；絆創膏；ＨＶＡＣ系統の構成要素；水処理施設の構成要素；真空装置または真空掃除機の構成要素；真空掃除機用袋；真空掃除機フィルター；エアフィルター；冷却塔の構成要素；玩具；窓；ドア；窓枠；ドアフレーム；医療器械；歯科器械；浴室用タイル；台所用タイル；食品工業用処理器械；病院用テーブルおよびベッド；動物用水飲み皿；洗濯機；皿洗い機；タオル；皿；ボウル；台所用品；カップ；ガラス；まな板；皿乾燥用トレー；渦流浴槽；シンク；便器；便座；スイミングプール；小鳥用水盤；プランター；園芸用ホース；養魚池；油管；ガス管；乳製品用ラインのフィルター；食品および飲料製造で使用されるライン；化粧品容器；屋外の池のライナー；蛇口および水吐出し口；加湿器；加湿器フィルター；浴室用タイル；浴室用備品；便器の蓋；スイミングプールのライナー；スイミングプールのスキマー；スイミングプールのフィルター；温水浴槽ライン；温水浴槽のフィルター；洗濯機のライナー；皿洗い機のライナー；動物用水飲み皿；食品貯蔵容器；飲料貯蔵容器；プレート；カップ；フォーク；ナイフ；スプーン；ごみ袋；および調理台からなる群から選択される、請求項２２に記載の物体。
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
配列番号1中にさらなるジスルフィド結合を含む成長ホルモン化合物。
【請求項２】
ポリペプチド配列が、配列番号1により定義されるhGHと少なくとも80%同一である、請求項1に記載の成長ホルモン化合物。
【請求項３】
ポリペプチド配列が、配列番号1により定義されるhGHと少なくとも90%同一である、請求項１または2に記載の成長ホルモン化合物。
【請求項４】
ポリペプチド配列が、配列番号1により定義されるhGHと少なくとも95%同一である、請求項１から3のいずれか一項に記載の成長ホルモン化合物。
【請求項５】
ポリペプチド配列が、配列番号1により定義されるhGHと少なくとも96%同一である、請求項1から4のいずれか一項に記載の成長ホルモン化合物。
【請求項６】
ポリペプチド配列が、配列番号1により定義されるhGHと少なくとも97%同一である、請求項1から5のいずれか一項に記載の成長ホルモン化合物。
【請求項７】
ポリペプチド配列が、配列番号1により定義されるhGHと少なくとも98%同一である、請求項1から6のいずれか一項に記載の成長ホルモン化合物。
【請求項８】
ポリペプチド配列が、配列番号1により定義されるhGHと少なくとも99%同一である、請求項1から7のいずれか一項に記載の成長ホルモン化合物。
【請求項９】
ループ部分とヘリックス部分との間に、またはループ部分内に、またはループ部分間に、またはヘリックス部分間にさらなるジスルフィド結合を含む、請求項1から8のいずれかに記載の成長ホルモン化合物。
【請求項１０】
配列番号1中に、R16C/L117C、A17C/E174C、H21C/M170C、D26/V102C、D26/Y103C、N47C/T50C、Q49C/G161C、F54C/Y143C、F54C/S144C、F54C/F146C、S55C/Y143C、S57C/Y143C、I58C/Q141C、I58C/Y143C、I58C/S144C、P59C/Q137C、P61C/E66C、P61C/T67C、S71C/S132C、L73C/S132C、L73C/F139C、R77C/I138C、R77C/F139C、L81C/Q141C、L81C/Y143C、Q84C/Y143C、Q84C/S144C、S85C/Y143C、S85C/S144C、P89C/F146C、F92C/F146C、F92C/T148C、R94C/D107C、V102C/A105C、L156C/F146C、L156C/T148C、および/またはV185C/S188Cに対応する少なくとも1対の変異を含む、請求項1から9のいずれかに記載の成長ホルモン化合物。
【請求項１１】
配列番号1中に、A17C/E174C、H21C/M170C、D26/V102C、D26/Y103C、F54C/Y143C、F54C/S144C、F54C/F146C、S55C/Y143C、S57C/Y143C、I58C/Q141C、I58C/Y143C、I58C/S144C、P59C/Q137C、S71C/S132C、L81C/Y143C、Q84C/Y143C、S85C/Y143C、S85C/S144C、F92C/T148C、および/またはR94C/D107Cに対応する少なくとも1対の変異を含む、請求項10に記載の成長ホルモン化合物。
【請求項１２】
さらなるジスルフィド結合を含み、システインのうちの少なくとも1つが、配列番号1中のアミノ酸128〜154に対応するループ3(L3)内に存在する、請求項1から9のいずれかに記載の成長ホルモン化合物。
【請求項１３】
さらなるジスルフィド結合を含み、システインのうちの少なくとも1つが、配列番号1中のアミノ酸135〜148に対応する領域内に存在する、請求項12に記載の成長ホルモン化合物。
【請求項１４】
配列番号1中に、F54C/Y143C、F54C/S144C、F54C/F146C、S55C/Y143C、S57C/Y143C、I58C/Q141C、I58C/Y143C、I58C/S144C、P59C/Q137C、S71C/S132C、L73C/S132C、L73C/F139C、R77C/I138C、R77C/F139C、L81C/Q141C、L81C/Y143C、Q84C/Y143C、Q84C/S144C、S85C/Y143C、S85C/S144C、P89C/F146C、F92C/F146C、および/またはF92C/T148Cに対応する少なくとも1対の変異を含む、請求項12に記載の成長ホルモン化合物。
【請求項１５】
L3をヘリックス2(H2)またはループ1(L1)と連結するさらなるジスルフィド結合を含む、請求項12に記載の成長ホルモン化合物。
【請求項１６】
プロテアーゼによる分解に対して安定化されている、請求項1から15のいずれかに記載の成長ホルモン化合物。
【請求項１７】
プロテアーゼが消化性プロテアーゼである、請求項16に記載の成長ホルモン化合物。
【請求項１８】
消化性プロテアーゼが、ペプシン、トリプシン、キモトリプシン、カルボキシペプチダーゼ、キモトリプシンおよびエラスターゼからなる群から選択される、請求項17に記載の成長ホルモン化合物。
【請求項１９】
配列番号1中に、H21/M170、D26/V102C、D26/Y103C、F54C/Y143C、F54C/S144C、S55C/Y143C、S57C/Y143C、I58C/Q141C、I58C/Y143C、I58C/S144C、P59C/Q137C、S71C/S132C、L81C/Y143C、Q84C/Y143C、S85C/Y143C、S85C/S144C、F92C/T148C、および/またはR94C/D107Cに対応する少なくとも1対の変異を含む、請求項16から18のいずれか一項に記載の成長ホルモン化合物。
【請求項２０】
配列番号1で定義されるヒト成長ホルモンと比較して、正確に2つのさらなるシステインを含む、請求項1から19のいずれかに記載の成長ホルモン化合物。
【請求項２１】
タンパク質分解に対する安定性を増大させた成長ホルモン化合物を調製する方法であって、
a.配列番号1で定義されるhGH内に、さらなるジスルフィド結合を導入するステップ
を含む方法。
【請求項２２】
請求項1から20のいずれかに記載の成長ホルモン化合物と、薬学的に許容される担体とを含む医薬組成物。
【請求項２３】
循環成長ホルモン化合物量の増大から患者が利益を得る疾患または状態を治療するのに成長ホルモン活性を用いることができる疾患または状態を治療するための、請求項22に記載の医薬組成物。
【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
式(I):
【化１】
2012515788.tif 000001
［式中、
Qは、式:
【化２】
2012515788.tif 000002
であり;
nは、０か、または1〜4から選択される整数であり;
R1は、シクロアルキル、ヘテロアリール、またはヘテロシクリルであり、各々、C1〜C6アルキル、C1〜C4ハロアルキル、-OR4、および／またはハロゲンから独立して選択される１から５個の置換基で適宜置換されていてよく;
各R2は、独立して、水素、C1〜C6アルキル、C1〜C4ハロアルキル、-OR4、および／またはハロゲンから選択され;
R3は、水素、アルキル、シクロアルキル、ハロアルキル、-C(O)OR5、または-C(O)NRaRbであり;
各R4は、独立して、C1〜C6アルキル、C1〜C4ハロアルキル、および／またはベンジルから選択され;
R5は、アルキルまたはベンジルであり;そして、
RaおよびRbは、独立して、水素、アルキル、ハロアルキル、および／またはベンジルから選択される］
の化合物または医薬的に許容されるその塩。
【請求項２】
R1が、C1〜C6アルキル、C1〜C4ハロアルキル、-OR4、および／またはハロゲンから独立して選択される１から５個の置換基で適宜置換されていてよいC3〜C8シクロアルキルである、請求項１に記載の化合物または医薬的に許容されるその塩。
【請求項３】
R1が、O、N、および／またはSから独立して選択される1〜4個のヘテロ原子を有し、C1〜C6アルキル、C1〜C4ハロアルキル、-OR4、および／またはハロゲンから独立して選択される１から５個の置換基で適宜置換されていてよい、1-から2-環のヘテロシクリルである、請求項１に記載の化合物または医薬的に許容されるその塩。
【請求項４】
R1が、O、N、および／またはSから独立して選択される1〜4個のヘテロ原子を有し、C1〜C6アルキル、C1〜C4ハロアルキル、-OR4、および／またはハロゲンから独立して選択される１から５個の置換基で適宜置換されていてよい、1-から2-環のヘテロアリールである、請求項１に記載の化合物または医薬的に許容されるその塩。
【請求項５】
該ヘテロアリールが、C1〜C6アルキル、C1〜C4ハロアルキル、-OR4、および／またはハロゲンから独立して選択される１から５個の置換基で適宜置換されていてよい、1-環のヘテロアリールである、請求項４に記載の化合物。
【請求項６】
式(Id):
【化３】
2012515788.tif 000003
（式中、
mは、０か、または1〜4から選択される整数であり;
各R6は、独立して、C1〜C6アルキル、C1〜C4ハロアルキル、ハロゲン、および／または-OR4から選択され、
各R4は、独立して、C1〜C4アルキルであり;
R3は、C1〜C6アルキル、C1〜C4ハロアルキル、または-C(O)OR5であり;そして、
R5は、C1〜C4アルキルである）
を有する、請求項５に記載の化合物または医薬的に許容されるその塩。
【請求項７】
mが、0であり;そして、
R3が、水素、エチル、1-プロピル、2-プロピル、-CF3、またはC(O)OCH3である、
請求項６に記載の化合物または医薬的に許容されるその塩。
【請求項８】
1-(4-(5-(3-(ピリジン-2-イル)-4-(トリフルオロメチル)イソオキサゾール-5-イル)-1,2,4-オキサジアゾール-3-イル)ベンジル)アゼチジン-3-カルボン酸;
1-(4-(5-(5-(ピリジン-2-イル)-4-(トリフルオロメチル)イソオキサゾール-3-イル)-1,2,4-オキサジアゾール-3-イル)ベンジル)アゼチジン-3-カルボン酸;
1-(4-(5-(4-プロピル-5-(ピリジン-2-イル)イソオキサゾール-3-イル)-1,2,4-オキサジアゾール-3-イル)ベンジル)アゼチジン-3-カルボン酸;
1-(4-(5-(4-イソプロピル-5-(ピリジン-2-イル)イソオキサゾール-3-イル)-1,2,4-オキサジアゾール-3-イル)ベンジル)アゼチジン-3-カルボン酸;
1-(4-(5-(4-エチル-5-(ピリジン-2-イル)イソオキサゾール-3-イル)-1,2,4-オキサジアゾール-3-イル)ベンジル)アゼチジン-3-カルボン酸;
1-(4-(5-(4-プロピル-3-(ピリジン-2-イル)イソオキサゾール-5-イル)-1,2,4-オキサジアゾール-3-イル)ベンジル)-アゼチジン-3-カルボン酸;
1-(4-(5-(4-(メトキシカルボニル)-3-(ピリジン-2-イル)イソオキサゾール-5-イル)-1,2,4-オキサジアゾール-3-イル)ベンジル)アゼチジン-3-カルボン酸;および、
1-(4-(5-(3-(ピリジン-2-イル)イソオキサゾール-5-イル))-1,2,4-オキサジアゾール-3-イル)ベンジル)アゼチジン-3-カルボン酸
からなる群から選択される、請求項１に記載の化合物または医薬的に許容されるその塩。
【請求項９】
該医薬的に許容される塩が2,2,2-トリフルオロ酢酸塩である、請求項１に記載の化合物。
【請求項１０】
請求項１に記載の化合物もしくは医薬的に許容されるその塩、および医薬的に許容される担体を含有する、自己免疫疾患または慢性炎症性疾患の処置のための医薬組成物。
【請求項１１】
自己免疫疾患または慢性炎症性疾患の処置のための医薬の製造における、請求項１に記載の化合物または医薬的に許容されるその塩の使用。
【請求項１２】
治療上有効な量の請求項１に記載の化合物もしくは医薬的に許容されるその塩、および副腎皮質ステロイド薬もしくはグルココルチコイド；PDE4阻害薬；サイトカイン抑制性抗炎症薬(CSAID)、p38キナーゼの阻害薬、4-置換イミダゾ[1,2-A]キノキサリン；細胞表面分子もしくはそのリガンドを対象とする抗体もしくは融合タンパク質；ヒトサイトカインもしくは成長因子に対する抗体、またはヒトサイトカインもしくは成長因子の融合タンパク質もしくは可溶性受容体；インテグリン受容体アンタゴニスト；高分子剤；スルファサラジン、メサラミン、ヒドロキシクロロキン、非-ステロイド系抗炎症薬(NSAID)；抗ウイルス薬；抗増殖薬；細胞傷害性薬剤；核移行阻害剤；金含有製剤；ペニシラミン、またはラパマイシン、あるいはそれらの誘導体から選択される少なくとも１つの他の治療薬を組み合わせて含む、自己免疫疾患または慢性炎症性疾患の処置のための剤であって、該他の治療薬は、請求項１に記載の化合物もしくは医薬的に許容されるその塩より前、同時、もしくは後に投与されることを特徴とする、該剤。
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
栄養補給剤であって、（１）ビタミンＢ１、ビタミンＢ２、ナイアシン、ビタミンＢ６、ビオチン、およびパントテン酸を含み；そして、（２）その際、ビオチン対ビタミンＢ１の重量比は１：２０〜１：２５であり；ビオチン対ビタミンＢ２の重量比は１：２５〜１：３０であり；ビオチン対ナイアシンの重量比は１：３１０〜１：３３０であり；ビオチン対ビタミンＢ６の重量比は１：３０〜１：３５であり；ビオチン対パントテン酸の重量比は１：１１０〜１：１３０である、前記栄養補給剤。
【請求項２】
ビオチン対ビタミンＢ１の重量比が約１：２２であり；ビオチン対ビタミンＢ２の重量比が約１：２８であり；ビオチン対ナイアシンの重量比が約１：３２０であり；ビオチン対ビタミンＢ６の重量比が約１：３２であり；そして、ビオチン対パントテン酸の重量比が約１：１２０である；請求項１に記載の栄養補給剤。
【請求項３】
ビタミンＢ１の量が約１〜約２ｍｇであり；ビタミンＢ２の量が約１〜約２ｍｇであり；ナイアシンの量が約１５〜約３０ｍｇであり；ビタミンＢ６の量が約１〜約３ｍｇであり；ビオチンの量が約５０〜約７０ｍｃｇであり；そして、パントテン酸の量が約５〜約１０ｍｇである；請求項１に記載の栄養補給剤。
【請求項４】
ビタミンＢ１の量が約１．４ｍｇであり；ビタミンＢ２の量が約１．７５ｍｇであり；ナイアシンの量が約２０ｍｇであり；ビタミンＢ６の量が約２ｍｇであり；ビオチンの量が約６２．５ｍｃｇであり；そして、パントテン酸の量が約７．５ｍｇである；請求項３に記載の栄養補給剤。
【請求項５】
栄養補給剤がさらにビタミンＡ、ベータカロテン、ビタミンＢ１２、ビタミンＣ、ナイアシン、ビタミンＤ３、ビタミンＥ、ビタミンＫ１、葉酸、カルシウム、リン、塩化物、クロム、硫酸銅、ヨウ素、鉄、マグネシウム、マンガン、モリブデン、カリウム、セレン、亜鉛およびルテインを含む、請求項１に記載の栄養補給剤。
【請求項６】
栄養補給剤であって、ビタミンＥ、ビタミンＣおよびセレンを含み、その際、セレン対ビタミンＥの重量比は約１：４５０〜約１：５５０であり、セレン対ビタミンＣの比は約１：３０００〜約１：３５００である、前記栄養補給剤。
【請求項７】
ビタミンＥの量が約１０〜約２０ｍｇであり；ビタミンＣの量が約９０〜約１１０ｍｇであり；そして、セレンの量が約２０〜約５０ｍｃｇである、請求項６に記載の栄養補給剤。
【請求項８】
ビタミンＥの量が約１５ｍｇであり；ビタミンＣの量が約１００ｍｇであり；そして、セレンの量が約３０ｍｃｇである、請求項７に記載の栄養補給剤。
【請求項９】
さらにビタミンＡ、ベータカロテン、ビタミンＢ１、ビタミンＢ２、ナイアシン、ビタミンＢ６、ビタミンＢ１２、ビタミンＤ３、ビタミンＫ１、ビオチン、葉酸、パントテン酸、カルシウム、リン、塩化物、クロム、硫酸銅、ヨウ素、鉄、マグネシウム、マンガン、モリブデン、カリウム、亜鉛およびルテインを含む、請求項６に記載の栄養補給剤。
【請求項１０】
セレン対ビタミンＥの重量パーセント比は約１：５００であり、セレン対ビタミンＣの重量パーセント比は約１：３０００である、請求項６に記載の栄養補給剤。
【請求項１１】
さらにビタミンＡ、ベータカロテン、ビタミンＢ１、ビタミンＢ２、ナイアシン、ビタミンＢ６、ビタミンＢ１２、ビタミンＤ３、ビタミンＫ１、ビオチン、葉酸、パントテン酸、カルシウム、リン、塩化物、クロム、硫酸銅、ヨウ素、鉄、マグネシウム、マンガン、モリブデン、カリウム、亜鉛およびルテインを含む、請求項１０に記載の栄養補給剤。
【請求項１２】
セレン対ビタミンＥの重量パーセント比は約１：５００であり、セレン対ビタミンＣの重量パーセント比は約１：３３３３である、請求項６に記載の栄養補給剤。
【請求項１３】
組成物であって、ビタミンＢ１、ビタミンＢ２、ナイアシン、ビタミンＢ６、パントテン酸、ビタミンＥ、ビタミンＣおよびセレンを含み、その際、ビオチン対ビタミンＢ１の重量比は１：２０〜１：２５であり；ビオチン対ビタミンＢ２の重量比は１：２０〜１：２５であり；ビオチン対ナイアシンの重量比は１：３１０〜１：３３０であり；ビオチン対ビタミンＢ６の重量比は１：３０〜１：３５であり；ビオチン対パントテン酸の重量比は１：１１０〜１：１３０であり； セレン対ビタミンＥの重量比は１：４５０〜１：５５０であり；セレン対ビタミンＣの重量比は１：３０００〜１：３５００である；前記組成物。
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
３３アミノ酸ペプチドであって、サケまたはウナギ カルシトニンあるいはヒト アミリンではなく、該ペプチドの２−３３位を構成する３２個のアミノ酸が配列番号１の１−３２位を構成する３２個のアミノ酸と同一であるペプチド。
【請求項２】
該ペプチドの１位がリジンであり、該ペプチドの２７位がアスパラギン酸であり、該ペプチドの２８位がバリンであり、該ペプチドの３０位がアラニンであり、該ペプチドの３１位がアスパラギンであり、該ペプチドの３３位がアミド化チロシンである、請求項１記載のペプチド。
【請求項３】
そのアミノ酸配列が配列番号１に対して少なくとも９３パーセント同一であるペプチドであって、ウナギまたはサケ カルシトニンあるいはヒト アミリンではなく、２−３０位が配列番号１の２−３０位と同一であり、２６位がアスパラギン酸であり、２７位がバリンであり、２９位がアラニンであり、３０位がアスパラギンであり、１位が正電荷を減少するように修飾されているシステインである、ペプチド。
【請求項４】
３２位がアミド化されたプロリンまたはアミド化されたチロシンである、請求項３記載のペプチド。
【請求項５】
１位のシステインがアセチルまたはスクシニルから選択された基で修飾されている、請求項３記載のペプチド。
【請求項６】
配列番号１に示されるアミノ酸配列を有するペプチドであって、（ｉ）残基２６がアスパラギンまたはアスパラギン酸のいずれかであってもよく、（ｉｉ）残基２９がセリンまたはアラニンのいずれかであってもよく、（ｉｉｉ）残基３０がアスパラギンであるか、または残基３２がチロシンである、ペプチド。
【請求項７】
配列番号１４に示されるアミノ酸配列を有するペプチド。
【請求項８】
そのアミノ酸配列が配列番号１に対して少なくとも９０パーセント同一であるペプチドであって、ウナギまたはサケ カルシトニンあるいはヒト アミリンではなく、２−１０位が配列番号１の２−１０位と同一であり、１２−１７位が配列番号１の１２−１７位と同一であり、１９−２１位が配列番号１の１９−２１位と同一であり、２３−３２位が配列番号１の２３−３２位と同一であり、１位が正電荷を減少するように保護基で修飾されているシステインであり、２６位がアスパラギン酸であり、２７位がバリンであり、２９位がアラニンであり、３０位がアスパラギンであり、３２位がアセチル基を有するアミド化されたチロシンである、ペプチド。
【請求項９】
１位のシステインがアセチル基で修飾されている、請求項８記載のペプチド。
【請求項１０】
そのアミノ酸配列が配列番号１に対して少なくとも９３パーセント同一であるペプチドであって、ウナギまたはサケ カルシトニンあるいはヒト アミリンではなく、２−３２位が配列番号１の２−３２位と同一であり、１位が正電荷を減少するように保護基で修飾されているシステインであり、２６位がアスパラギンであり、２７位がスレオニンであり、２９位がセリンであり、３０位がグリシンであり、３２位がアミド化されたプロリンである、ペプチド。
【請求項１１】
１位のシステインがプロピオニルまたはスクシニルから選択された基で修飾されている、請求項１０記載のペプチド。
【請求項１２】
請求項１〜１１のいずれか１項記載のペプチドを含む医薬組成物。
【請求項１３】
患者における体重超過状態または肥満を治療または予防するための、治療上有効量の請求項１〜１１のいずれか１項記載のペプチドまたは請求項１２記載の医薬組成物。
【請求項１４】
患者における食欲を抑制するための、治療上有効量の請求項１〜１１のいずれか１項記載のペプチドまたは請求項１２記載の医薬組成物。
【請求項１５】
患者における糖尿病を治療するための、治療上有効量の請求項１〜１１のいずれか１項記載のペプチドまたは請求項１２記載の医薬組成物。
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
一般式（Ｉ）で表されることを特徴とする化合物、またはそれらの薬学的に許容される塩
【化１】
2012515776.tif 000001
（式（Ｉ）中、Ｚは単結合、Ｃ（ＲａＲｂ）、Ｏ、Ｓ、Ｃ（Ｏ）、Ｎ（Ｒａ）、ＳＯ２、ＯＣ（Ｏ）、Ｃ（Ｏ）Ｏ、ＯＳＯ２、Ｓ（Ｏ２）Ｏ、Ｃ（Ｏ）Ｓ、ＳＣ（Ｏ）、Ｃ（Ｏ）Ｃ（Ｏ）、Ｃ（Ｏ）Ｎ（Ｒａ）、Ｎ（Ｒａ）Ｃ（Ｏ）、Ｓ（Ｏ２）Ｎ（Ｒａ）、Ｎ（Ｒａ）Ｓ（Ｏ２）、ＯＣ（Ｏ）Ｎ（Ｒａ）、Ｎ（Ｒａ）Ｃ（Ｏ）Ｏ、Ｎ（Ｒａ）Ｃ（Ｏ）ＳまたはＮ（Ｒａ）Ｃ（Ｏ）Ｎ（Ｒｂ）であり、ここでＲａおよびＲｂはそれぞれ独立して水素原子、アルキル基、アルケニル基またはアルキニル基であり、
ｍは５、６、７、８、９、１０、１１、１２、１３、１４、１５または１６であり、
Ｐは、
【化２】
2012515776.tif 000002
であり、Ｘ１およびＸ２はそれぞれ独立してハロゲンまたはＯＳＯ２ＲＣであり、ここでＲＣはアルキル基、アルケニル基またはアルキニル基であり、Ｑは、アルキル基、アルケニル基、アルキニル基、シクロアルキル基、ヘテロシクロアルキル基、シクロアルケニル基、ヘテロシクロアルケニル基、アリール基、ヘテロアリール基、ハロゲン、ニトロ基、カルボニル基、−Ｃ＝ＮＨ、シアノ基、ＯＲｄ、ＯＣ（Ｏ）Ｒｄ、ＯＣ（Ｏ）ＯＲｄ、ＯＣ（Ｏ）ＳＲｄ、ＳＲｄ、Ｃ（Ｏ）Ｒｄ、Ｃ（Ｏ）ＯＲｄ、Ｃ（Ｏ）ＳＲｄ、Ｃ（Ｏ）ＮＲｅＲｆ、ＳＯＲｄ、ＳＯ２Ｒｄ、ＮＲｅＲｆまたはＮ（Ｒｅ）Ｃ（Ｏ）Ｒｆで置換されていてもよいシクロアルキル基、ヘテロシクロアルキル基、シクロアルケニル基、ヘテロシクロアルケニル基、アリール基またはヘテロアリール基であり、ここでＲｄ、ＲｅおよびＲｆはそれぞれ独立して水素原子、アルキル基、アルケニル基、アルキニル基、シクロアルキル基、ヘテロシクロアルキル基、アリール基、ヘテロアリール基、ハロゲン、シアノ基、ニトロ基、ヒドロキシル基またはアルコキシ基である）。
【請求項２】
Ｚは単結合、ＣＨ２、Ｏ、ＣＯ、ＮＨ、ＳＯ２、ＯＣ（Ｏ）、Ｃ（Ｏ）Ｏ、Ｃ（Ｏ）Ｓ、ＮＨＣ（Ｏ）、Ｃ（Ｏ）ＮＨ、ＯＣ（Ｏ）ＮＨ、ＮＨＣ（Ｏ）ＯまたはＮＨＣ（Ｏ）Ｓであり、ｍは５、６、７または８である請求項１に記載の化合物または塩。
【請求項３】
Ｑはアリール基またはヘテロアリール基である請求項２に記載の化合物または塩。
【請求項４】
Ｑは９〜１０員のアリール基またはヘテロアリール基である請求項３に記載の化合物または塩。
【請求項５】
Ｐは
【化３】
2012515776.tif 000003
である請求項４に記載の化合物または塩。
【請求項６】
化合物は、
【化４】
2012515776.tif 000004
である請求項１に記載の化合物または塩。
【請求項７】
化合物は
【化５】
2012515776.tif 000005
である請求項１に記載の化合物または塩。
【請求項８】
請求項１に記載の化合物と薬学的に許容される担体を含む薬物組成物。
【請求項９】
腫瘍性疾患または免疫疾患を処置するために使用される、請求項１に記載の化合物を含む薬物組成物。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
少なくとも１つの有効成分と、前記有効成分を被覆するためのｐＨ非依存性物質と、被覆された前記有効成分の周辺にマトリックスを形成するための親水性物質とを含み、
４〜６時間の初期ラグタイム後に前記有効成分が２４時間にわたって除放される、時間治療用医薬組成物。
【請求項２】
前記有効成分はＮＳＡＩＤｓのクラスから選択される、請求項１に記載の組成物。
【請求項３】
前記ＮＳＡＩＤｓは、ナプロキセン、ロルノキシカム、ジクロフェナク、イブプロフェン、及び、それらの塩からなる群から選択される、請求項２に記載の組成物。
【請求項４】
好ましいＮＳＡＩＤはナプロキセンナトリウムである、請求項３に記載の組成物。
【請求項５】
前記ｐＨ非依存性物質は、ヒドロキシプロピルメチルセルロース（ＨＰＭＣ）、ヒドロキシプロピルセルロース（ＨＰＣ）、ポリビニルピロリドン（ＰＶＰ）、メチルセルロース、グアーガム、キサンタンガム、アラビアガム、ヒドロキシエチルセルロース、アクリル酸エチル・メタクリル酸メチルコポリマー分散液、又は、それらの組み合わせから選ばれる、請求項１に記載の組成物。
【請求項６】
前記親水性物質は、ポリエチレンオキシド、セルロースエーテル、グアー、グアー誘導体、ローカストビーンガム、オオバコ、アラビアガム、ガッティガム、カラヤガム、トラガカントガム、カラギーナン、アガー、アルジネート、キサンタン、スクレログルカン、デキストラン、ペクチン、デンプン、キチン、キトサン、ヒドロキシエチルセルロース（ＨＥＣ）、ヒドロキシプロピルセルロース（ＨＰＣ）、カルボキシメチルセルロース（ＣＭＣ）、カルボキシメチルヒドロキシエチルセルロース（ＣＭＨＥＣ）、ヒドロキシプロピルヒドロキシエチルセルロース（ＨＰＨＥＣ）、メチルセルロース（ＭＣ）、メチルヒドロキシプロピルセルロース（ＭＨＰＣ）、メチルヒドロキシエチルセルロース（ＭＨＥＣ）、カルボキシメチルメチルセルロース（ＣＭＭＣ）、疎水化変性カルボキシメチルセルロース（ＨＭＣＭＣ）、エチルセルロース、酢酸ポリビニル分散液、又は、それらの組み合わせから選ばれる、請求項１に記載の組成物。
【請求項７】
腸溶コーティングポリマーを更に含む、請求項１に記載の組成物。
【請求項８】
前記腸溶コーティングポリマーはｐＨ依存性ポリマーである、請求項７に記載の組成物。
【請求項９】
前記ｐＨ依存性ポリマーは、シェラック、メタクリル酸コポリマー、セルロースアセテートフタレート、ヒドロキシプロピルメチルセルロースフタレート、ヒドロキシプロピルメチルセルロースアセテートスクシネート、セルロースアセテートトリメリテート、ポリビニルアセテートフタレート、又は、それらの組み合わせからなる群から選択される、請求項８に記載の組成物。
【請求項１０】
錠剤、顆粒又はカプセルの剤形である、請求項１に記載の組成物。
【請求項１１】
薬理学的に公知な賦形剤を更に含む、請求項１に記載の組成物。
【請求項１２】
前記有効成分の濃度は１〜１０００ｍｇである、請求項１に記載の組成物。
【請求項１３】
請求項１〜１２のいずれか一項に記載の時間治療用医薬組成物からの錠剤の製造方法であって、
前記有効成分を前記ｐＨ非依存性物質で被覆するステップと、
被覆された前記有効成分を前記親水性物質とブレンドするステップと、
前記親水性物質で被覆された前記有効成分のブレンド物を錠剤に圧縮するステップとを含む、時間治療用医薬組成物の製造方法。
【請求項１４】
圧縮された前記錠剤を腸溶コーティングするステップを含む、請求項１３に記載の方法。
【請求項１５】
時間薬理学的依存性を示す疾患の治療薬である、請求項１に記載の組成物。
【請求項１６】
前記疾患は関節炎、胃食道逆流症、気管支喘息、心筋梗塞、狭心症、高血圧である、請求項１に記載の組成物。
【請求項１７】
治療有効量の請求項１に記載の治療医薬組成物を被験体（ヒトを除く）に投与するステップを含む、時間薬理学的依存性を示す疾患の治療方法。
【手続補正２】
【補正対象書類名】明細書
【補正対象項目名】００３１
【補正方法】変更
【補正の内容】
【００３１】
本発明の他の一実施形態は、被験体に治療有効量の時間治療用医薬組成物を投与するステップを含む、時間薬理学的依存性を示す疾患の治療方法に関する。医薬組成物は錠剤とされ、１日に一回経口投与される。錠剤内の有効成分は、圧縮前はペレット状及び／又は顆粒状である。他にも様々な剤形が可能であり、顆粒又はミニ錠剤を充填したカプセルとすることもできる。
【手続補正３】
【補正対象書類名】明細書
【補正対象項目名】００３３
【補正方法】変更
【補正の内容】
【００３３】
本発明において、有効成分はマトリックス形成親水性物質で被覆／混合されて、錠剤に圧縮される。次いで、圧縮錠剤は更に放出遅延ｐＨ依存性物質で腸溶コーティングされる。時間治療用組成物は２つのコーティングを含み、一方は有効成分を被覆し、他方は圧縮錠剤を被覆する。粒子状被覆薬物、すなわち被覆有効成分をマトリックス形成親水性物質と共に圧縮すると、当該有効成分は粒子状コーティングを通過し、次いで被覆粒子周辺のマトリックスを通過して系から放出される。親水性物質は更なるバリアとなり、均一かつ長いラグタイムが得られる。これは、放出遅延コーティングと共に、二相性放出経路により系からの早期薬物放出が防止されて薬物放出を効果的に遅延されるという本発明の利点である。系から薬剤放出され、被験体間の血中薬物プロファイルのバラツキが少ない。前記組成物は二重除放システム(dual controlled release system)であるため、必要なラグタイム及び有効成分の除放が得られる。このような組成物の製造は簡素かつ安価である。
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
色素性網膜炎または緑内障誘発性視神経変性の治療のための、Ａ／Ｂ−ｃｉｓフロスタン、フロステン、スピロスタン及びスピロステンステロイド性サポゲニン及びそのエステル、エーテル、ケトン及びグリコシル化型から選択され、恒常性を制御した状態で非毒性態様の対象の天然ＮＦｓを調整することによって、対象の神経栄養因子ＢＤＮＦとＧＤＮＦの自己制御恒常性を誘発する薬剤。
【請求項２】
請求項１に記載の薬剤において、前記薬剤が、サルササポゲニン、スミラゲニン、エピサルササポゲニン、エピスミラゲニン、チモサポニンＢＩＩ、メタゲニン、サモゲニン、ジオチゲニン、イソジオチゲニン、テクソゲニン、ヨノゲニン、メクソゲニン、及びマルコゲニン、及びこれらの対応するエステル、エーテル、ケトン、及びサポニン（グリコシル化）型から選択されることを特徴とする薬剤。
【請求項３】
請求項１又は２に記載の薬剤において、前記薬剤が、サルササポゲニン、スミラゲニン、及びこれらの対応するエステル、エーテル、ケトン、及びサポニン（グリコシル化）型から選択されることを特徴とする薬剤。
【請求項４】
請求項１乃至３のいずれか１項に記載の薬剤において、前記薬剤がサルササポニゲンおよびスミラゲニンから選択されることを特徴とする薬剤。
【請求項５】
請求項１乃至４のいずれか１項に記載の薬剤において、前記一又はそれ以上の薬剤が、代謝アジュバント、ケトンの本体レベルを上げる化合物（ケト原生化合物）、トリカルボキシル酸（ＴＣＡ）サイクル中間体、インビボでＴＣＡ中間体に変換可能な化合物、エネルギィ強化化合物、及びこれらの混合物から選択された一又はそれ以上の補助薬剤と共に使用されることを特徴とする薬剤。
【請求項６】
請求項１乃至５のいずれか１項に記載の薬剤において、前記一又はそれ以上の薬剤が、当該薬剤と、例えば医薬組成物（薬剤）、フードスタッフ、フードサプリメント、又は飲料（例えば、炭酸入り飲料）、又は、化粧品、眼又は皮膚（皮膚科）組成物などの局所組成物といった、適宜の好適な追加成分を含む組成物において投与されることを特徴とする薬剤。
【請求項７】
請求項１乃至６のいずれか１項に記載の薬剤において、前記一又はそれ以上の薬剤が、一又はそれ以上の可溶化剤及び／又は懸濁化剤及び／又は分散化剤を伴う組成物中に存在しており、前記薬剤が前記組成物中の、例えば、中鎖トリグリセリド（ＭＣＴｓ）又は中鎖脂肪酸（ＭＣＦＡｓ）などの、溶液、又は、懸濁液、又は分散液中に維持されていることを特徴とする薬剤。
【請求項８】
請求項１乃至７のいずれか１項に記載の薬剤において、前記薬剤が経口投与されることを特徴とする薬剤。
【請求項９】
請求項１乃至７のいずれか１項に記載の薬剤において、前記薬剤が局所投与されることを特徴とする薬剤。
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
安息香酸、安息香酸塩、安息香酸エステル、又はその誘導体、及び／又は、ソルビン酸、ソルビン酸塩、ソルビン酸エステル、又はその誘導体とを含む医薬品組成物であって、
前記安息香酸、安息香酸塩、安息香酸エステル、又はその誘導体、及び／又は、ソルビン酸、ソルビン酸塩、ソルビン酸エステル、又はその誘導体は、神経性精神障害を緩和させるのに０．７ｍｇ−２．２ｇ／体重Ｋｇ／１日である効果的な量で提供されることを特徴とする医薬品組成物。
【請求項２】
前記安息香酸、安息香酸塩、安息香酸エステル、又はその誘導体は、安息香酸、安息香酸ナトリウム、安息香酸カリウム、安息香酸カルシウム、安息香酸リチウム、２−アミノ安息香酸塩、３−アミノ安息香酸塩、及び４−アミノ安息香酸塩からなる群から選択されることを特徴とする請求項１に記載の組成物。
【請求項３】
前記ソルビン酸、ソルビン酸塩、ソルビン酸エステル、又はその誘導体は、ソルビン酸、ソルビン酸ナトリウム、ソルビン酸カリウム、ソルビン酸カルシウム、ソルボヒドロキサム酸、２，４−ヘキサジエナール、８−キノリニルソルベート及びｍ−ニトロソルブアニリドからなる群から選択されることを特徴とする請求項１に記載の組成物。
【請求項４】
安息香酸、安息香酸塩、安息香酸エステル、又はその誘導体、及び／又は、ソルビン酸、ソルビン酸塩、ソルビン酸エステル、又はその誘導体と、
向精神薬と、を含む医薬品組成物であって、
前記安息香酸、安息香酸塩、安息香酸エステル、又はその誘導体、及び／又は、ソルビン酸、ソルビン酸塩、ソルビン酸エステル、又はその誘導体は、神経性精神障害を緩和させるのに０．７ｍｇ−２．２ｇ／体重Ｋｇ／１日である効果的な量で提供されることを特徴とする医薬品組成物。
【請求項５】
前記安息香酸、安息香酸塩、安息香酸エステル、又はその誘導体は、安息香酸、安息香酸ナトリウム、安息香酸カリウム、安息香酸カルシウム、安息香酸リチウム、２−アミノ安息香酸塩、３−アミノ安息香酸塩、及び４−アミノ安息香酸塩からなる群から選択されることを特徴とする請求項４に記載の組成物。
【請求項６】
前記ソルビン酸、ソルビン酸塩、ソルビン酸エステル、又はその誘導体は、ソルビン酸、ソルビン酸ナトリウム、ソルビン酸カリウム、ソルビン酸カルシウム、ソルボヒドロキサム酸、２，４−ヘキサジエナール、８−キノリニルソルベート及びｍ−ニトロソルブアニリドからなる群から選択されることを特徴とする請求項４に記載の組成物。
【請求項７】
前記向精神薬は、抗うつ剤、抗精神病薬、興奮剤、気分安定薬、精神安定剤、ＡＤＨＤ治療薬、及びアルツハイマー病治療薬からなる群から選択されることを特徴とする請求項４項に記載の組成物。
【請求項８】
前記向精神病薬は、リスペリドン、アリセプト、またはオランザピンであることを特徴とする請求項４に記載の組成物。
【請求項９】
安息香酸、安息香酸塩、安息香酸エステル、又はその誘導体、及び／又は、ソルビン酸、ソルビン酸塩、ソルビン酸エステル、又はその誘導体の神経精神障害の治療のための薬剤の製造における用途であって、
前記安息香酸、安息香酸塩、安息香酸エステル、又はその誘導体、及び／又は、ソルビン酸、ソルビン酸塩、ソルビン酸エステル、又はその誘導体は、神経性精神障害を緩和させるのに０．７ｍｇ−２．２ｇ／体重Ｋｇ／１日である効果的な量で提供されることを特徴とする用途。
【請求項１０】
前記安息香酸、安息香酸塩、安息香酸エステル、又はその誘導体は、安息香酸、安息香酸ナトリウム、安息香酸カリウム、安息香酸カルシウム、安息香酸リチウム、２−アミノ安息香酸塩、３−アミノ安息香酸塩、及び４−アミノ安息香酸塩からなる群から選択されることを特徴とする請求項９に記載の用途。
【請求項１１】
前記ソルビン酸、ソルビン酸塩、ソルビン酸エステル、又はその誘導体は、ソルビン酸、ソルビン酸ナトリウム、ソルビン酸カリウム、ソルビン酸カルシウム、ソルボヒドロキサム酸、２，４−ヘキサジエナール、８−キノリニルソルベート及びｍ−ニトロソルブアニリドからなる群から選択されることを特徴とする請求項９に記載の用途。
【請求項１２】
向精神薬と併用する安息香酸、安息香酸塩、安息香酸エステル、又はその誘導体、及び／又は、ソルビン酸、ソルビン酸塩、ソルビン酸エステル、又はその誘導体の神経精神障害の治療のための薬剤の製造における用途であって、
前記安息香酸、安息香酸塩、安息香酸エステル、又はその誘導体、及び／又は、ソルビン酸、ソルビン酸塩、ソルビン酸エステル、又はその誘導体は、神経性精神障害を緩和させるのに０．７ｍｇ−２．２ｇ／体重Ｋｇ／１日である効果的な量で提供されることを特徴とする用途。
【請求項１３】
前記安息香酸、安息香酸塩、安息香酸エステル、又はその誘導体は、安息香酸、安息香酸ナトリウム、安息香酸カリウム、安息香酸カルシウム、安息香酸リチウム、２−アミノ安息香酸塩、３−アミノ安息香酸塩、及び４−アミノ安息香酸塩からなる群から選択されることを特徴とする請求項１２に記載の用途。
【請求項１４】
前記ソルビン酸、ソルビン酸塩、ソルビン酸エステル、又はその誘導体は、ソルビン酸、ソルビン酸ナトリウム、ソルビン酸カリウム、ソルビン酸カルシウム、ソルボヒドロキサム酸、２，４−ヘキサジエナール、８−キノリニルソルベート及びｍ−ニトロソルブアニリドからなる群から選択されることを特徴とする請求項１２に記載の用途。
【請求項１５】
前記向精神薬は、抗うつ剤、抗精神病薬、興奮剤、気分安定薬、精神安定剤、ＡＤＨＤ治療薬、及びアルツハイマー病治療薬からなる群から選択されることを特徴とする請求項１２に記載の用途。
【請求項１６】
前記向精神病薬は、リスペリドン、アリセプト、またはオランザピンであることを特徴とする請求項１２に記載の用途。
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
少なくとも1平方ミリメートルの表面積を与える少なくとも1つの表面を含む少なくとも1つの中実基板を含む物品であって、前記表面が、前記表面積の少なくとも90%を占める材料沈着物の均質アレイを含む、物品。
【手続補正２】
【補正対象書類名】明細書
【補正対象項目名】０００８
【補正方法】変更
【補正の内容】
【０００８】
少なくとも1つの利点を1つ以上の態様において見いだすことができる。例えば、一態様では、改良は、二次元ペンアレイ（2Dナノプリントアレイ（2D nano PrintArray）（商標））の基板に対するレベリング、およびエッジ領域を含む広い面積にわたって均一で均質な沈着を提供することに基づき得る。2Dペンアレイが基板表面に対して適切にレベリングされていないと、一部のペン先端部材が他の先端部材よりも先に表面に接触し、一部のペン先端部材が基板表面に全く接触せず、かつ／またはこれら先端部材により基板表面に作用する負荷が異なる場合があり、パターニングが非均質で一貫性のないものとなり得る。少なくとも1つの改良の利点は、2Dペンアレイの全ての先端部材がほぼ同じ作用力で表面にわずかに接触する時点を確実に判定することであり得る。分化研究および製品化をはじめとする幹細胞研究および製品化などの細胞研究および製品化の結果の改良において1つまたはそれ以上の利点を実現することができる。他の利点は以下に記載する。
[本発明1001]
少なくとも1平方ミリメートルの表面積を与える少なくとも1つの表面を含む少なくとも1つの中実基板を含む物品であって、前記表面が、前記表面積の少なくとも90%を占める材料沈着物の均質アレイを含む、物品。
[本発明1002]
前記材料沈着物の均質アレイが、前記表面積の少なくとも95%を占める、本発明1001の物品。
[本発明1003]
前記材料沈着物の均質アレイが、前記表面積の少なくとも99%を占める、本発明1001の物品。
[本発明1004]
前記材料沈着物が、実質的に円形の沈着物を含む、本発明1001の物品。
[本発明1005]
前記材料沈着物が、約1ミクロン未満の平均直径によって特徴付けられる、本発明1001の物品。
[本発明1006]
前記材料沈着物が、約500nm未満の平均直径によって特徴付けられる、本発明1001の物品。
[本発明1007]
前記材料沈着物が、約500nm未満であるが約50nmより大きい平均直径によって特徴付けられる、本発明1001の物品。
[本発明1008]
前記材料沈着物が、約1ミクロン未満の平均直径によって特徴付けられる、本発明1001の物品。
[本発明1009]
前記材料沈着物の中心間で測定したピッチが約1ミクロン未満であることによって特徴付けられる、本発明1001の物品。
[本発明1010]
前記材料沈着物の中心間で測定したピッチが約500nm未満であることによって特徴付けられる、本発明1001の物品。
[本発明1011]
前記表面積が少なくとも5平方ミリメートルである、本発明1001の物品。
[本発明1012]
前記表面積が少なくとも10平方ミリメートルである、本発明1001の物品。
[本発明1013]
少なくとも1つの細胞を前記表面にさらに含む、本発明1001の物品。
[本発明1014]
前記材料沈着物の直接描画ナノリソグラフィ印刷を行う工程を含む、本発明1001の物品の製造方法。
[本発明1015]
少なくとも1平方ミリメートルの表面積を与える少なくとも1つの表面を含む少なくとも1つの中実基板を含む物品であって、前記表面が、前記表面積の少なくとも95パーセントを占める材料沈着物の均質アレイを含む、物品。
[本発明1016]
前記沈着物がドットである、本発明1015の物品。
[本発明1017]
前記沈着物が線である、本発明1015の物品。
[本発明1018]
少なくとも1平方ミリメートルの表面積を与える少なくとも1つの表面を含む少なくとも1つの中実基板を含む物品であって、前記表面が、前記表面積の少なくとも99パーセントを占める材料沈着物の均質アレイを含む、物品。
[本発明1019]
前記沈着物がドットである、本発明1018の物品。
[本発明1020]
前記沈着物が線である、本発明1018の物品。
[本発明1021]
マーキング表示を含まない、本発明1001の物品。